(57)【特許請求の範囲】
【請求項１】
スカート部と、スカート部の内部に配置されるボール部と、スカート部の上部に接合されるリム部とに３分割された便器であって、
前記リム部には上辺部と内辺部とが形成されて、上辺部の下面は、スカート部の上端部に当接させて接合され、内辺部の外端部は、スカート部の内面に当接させるとともに、ボール部の上端部は、リム部の内辺部の下面に当接させて接合されていることを特徴とする便器。
【請求項２】
前記スカート部の内面に、リム部の内辺部の外端部を支持する段部若しくは凹部が形成されていることを特徴とする請求項１に記載の便器。
【請求項３】
前記ボール部の上端部付近の外面部は、スカート部の内面に当接させて接合されていることを特徴とする請求項１または２に記載の便器。
【請求項４】
前記ボール部の上端部分は、Ｔ字形状に形成されて、このＴ字形状部の頂面部は、スカート部の内面若しくはリム部の内辺部の下面に当接させて接合されていることを特徴とする請求項３に記載の便器。
【請求項５】
前記ボール部の上端部付近の外面部またはＴ字形状部の頂面部と、スカート部の内面若しくはリム部の内辺部の下面とは、鋸歯状部に形成されていることを特徴とする請求項３または４に記載の便器。
【発明の詳細な説明】
【技術分野】
【０００１】
本発明は、着座荷重に対する強度が高まる便器に関する。
【背景技術】
【０００２】
従来、図６（ａ）（ｂ）に示すように、スカート部１と、スカート部１の内部に配置されるボール部２と、スカート部１の上部に接合されるリム部３とに３分割された合成樹脂製の便器がある。（特許文献１参照）。
【０００３】
ところで、図６（ｃ）に示すように、リム部３を上辺部３ａと内辺部３ｂとで形成して、スカート部１の上端部１ａとボール部２の上端部２ａとを、それぞれリム部３の上辺部３ａの下面に当接させて接合するとともに、内辺部３ｂの底部３ｃの外端部をボール部２の上端部２ａの内面に接合するものがある。
【特許文献１】特許第３４３６００４号公報
【発明の開示】
【発明が解決しようとする課題】
【０００４】
しかしながら、図６（ｃ）の便器では、主としてスカート部１で着座荷重を支える構造であるから、着座荷重に対する強度が十分でないという問題があった。
【０００５】
本発明は、前記問題を解消するためになされたもので、着座荷重に対する強度が向上するように工夫した便器を提供することを目的とするものである。
【課題を解決するための手段】
【０００６】
前記課題を解決するために、本発明は、スカート部と、スカート部の内部に配置されるボール部と、スカート部の上部に接合されるリム部とに３分割された便器であって、前記リム部には上辺部と内辺部とが形成されて、上辺部の下面は、スカート部の上端部に当接させて接合され、内辺部の外端部は、スカート部の内面に当接させるとともに、ボール部の上端部は、リム部の内辺部の下面に当接させて接合されていることを特徴とする便器を提供するものである。
【０００７】
リム部とスカート部との接合位置のズレを防止するために、前記スカート部の内面に、リム部の内辺部の外端部を支持する段部若しくは凹部が形成されている構成とすることが好ましい。
【０００８】
スカート部とボール部とリム部との位置ズレを防止するために、前記ボール部の上端部付近の外面部は、スカート部の内面に当接させて接合されている構成とすることが好ましい。
【０００９】
接合部分の剛性を向上させるために、前記ボール部の上端部分は、Ｔ字形状に形成されて、このＴ字形状部の頂面部は、スカート部の内面若しくはリム部の内辺部の下面に当接させて接合されている構成とすることが好ましい。
【００１０】
ボール部とスカート部との位置決めがより正確に行えるようにするために、前記ボール部の上端部付近の外面部またはＴ字形状部の頂面部と、スカート部の内面若しくはリム部の内辺部の下面とは、鋸歯状部に形成されている構成とすることが好ましい。
【発明の効果】
【００１１】
本発明によれば、リム部の上辺部の下面にスカート部の上端部を当接させて接合し、リム部の内辺部の外端部をスカート部の内面に当接させるとともに、ボール部の上端部は、リム部の内辺部の下面に当接させて接合することにより、リム部の上辺部に作用する着座荷重を、スカート部とボール部とで支えることができる構造となるので、着座荷重に対する強度が向上するようになる。この結果、従来と同じ外寸法の便器であっても、リム部の上辺部の幅を狭くできるので、便器の開口部分が広くなって、尿の飛散によるリム部の上辺部の上面の汚れが軽減するようになる。
【発明を実施するための最良の形態】
【００１２】
以下、本発明を実施するための最良の形態について、図面を参照しながら詳細に説明する。なお、背景技術と同一構成・作用の箇所は、同一番号を付して詳細な説明を省略する。
【００１３】
図１（ａ）は、便器の側面断面図であり、スカート部１の内部にボール部２が配置されるとともに、スカート部１の上部にリム部３が接合されている。
【００１４】
図１（ｂ）に拡大して示すように、上辺部３ａと内辺部３ｂとを外向きの逆コ字形状に一体成形したリム部３は、スカート部１の上端部１ａをリム部３の上辺部３ａの下面に当接させて接合することは、背景技術〔図６（ｃ）参照〕と同じである。
【００１５】
第１実施形態として、背景技術と相違するのは、リム部３の内辺部３ｂの底部３ｃの外端部３ｄをスカート部１の内面に当接させて接合するとともに、ボール部２の上端部２ａ付近を外方に屈曲させて、その上端部２ａをリム部３の内辺部３ｂの底部３ｃの下面に当接させて接合している点である。なお、スカート部１で閉塞されたリム部３内は、洗浄水の通路３ｅとなるから、特に水密性を高めて接合する。なおまた、リム部３内に洗浄水を通さないタイプであれば、リム部３の内辺部３ｂの底部３ｃの外端部３ｄをスカート部１の内面に当接させるだけで良く、接合する必要は必ずしも無い。
【００１６】
図３（ａ）に示すように、リム部３は、上辺部３ａと内辺部３ｂとを外向きの逆つ字形状に一体成形して、内辺部３ｂの外端部３ｄをスカート部１の内面に当接させて接合するとともに、ボール部２の上端部２ａ付近を外方に屈曲させて、その上端部２ａをリム部３の内辺部３ｂの下面に当接させて接合することもできる。なお、この実施形態では、スカート部１で閉塞されたリム部３の中空部内に洗浄水を通水しない。
【００１７】
図１（ｂ）のような外向きの逆コ字形状のリム部３、または図３（ａ）のような外向きの逆つ字形状のリム部３は、洗浄水を通さなければ、必ずしも中空である必要な無く、中実に成形することも可能である。
【００１８】
第１実施形態であれば、スカート部１の上端部１ａをリム部３の上辺部３ａの下面に当接させて接合するとともに、ボール部２の上端部２ａをリム部３の内辺部３ｂの底部３ｃの下面〔図３（ａ）の例では、リム部３の内辺部３ｂの下面〕に当接させて接合することにより、リム部３の上辺部３ａに作用する着座荷重を、スカート部１とボール部２とで支えることができるので、着座荷重に対する強度が向上するようになる。
【００１９】
図２（ａ）（ｂ）は、第２実施形態であり、図１（ａ）の第１実施形態と相違するのは、図２（ａ）では、スカート部１の内面に、リム部３の内辺部３ｂの底部３ｃの外端部３ｄを支持する段部１ｂを形成している点である。図２（ｂ）では、スカート部１の内面に、リム部３の内辺部３ｂの底部３ｃの外端部３ｄを支持する凹部１ｃを形成している点である。
【００２０】
第２実施形態であれば、スカート部１の内面に、リム部３の内辺部３ｂの底部３ｃの外端部３ｄを支持する段部１ｂ若しくは凹部１ｃを形成することにより、リム部３とスカート部１との接合位置のズレを防止でき、接合箇所の剛性が向上する。また、リム部３内を通る通路３ｅに洗浄水を通す場合には、この通路３ｅの止水性が向上するようになる。
【００２１】
図２（ｃ）（ｄ）は、第３実施形態であり、図２（ａ）（ｂ）の第２実施形態と相違するのは、図２（ａ）に対応する図２（ｃ）では、ボール部２の上端部２ａ付近を外方に屈曲させて、その外面部２ｂをスカート部１の内面に当接させて接合している点である。図２（ｂ）に対応する図２（ｄ）では、ボール部２の上端部２ａ付近の外面部２ｂをスカート部１の内面に当接させて接合している点である。
【００２２】
第３実施形態であれば、第２実施形態の作用効果に加えて、ボール部２の上端部２ａ付近の外面部２ｂをスカート部１の内面に当接させて接合することにより、スカート部１とボール部２とリム部３との位置ズレを防止することができる。
【００２３】
図２（ｃ）（ｄ）の実施形態のように、ボール部２の上端部２ａ付近の外面部２ｂをスカート部１の内面に当接させて接合すれば、リム部３内に洗浄水を通すタイプであっても、リム部３の内辺部３ｂの底部３ｃの外端部３ｄをスカート部１の内面に当接させるだけで良く、接合する必要は必ずしも無い。リム部３の内辺部３ｂの底部３ｃの外端部３ｄをスカート部１の内面に当接させるだけであれば、言い換えると、接合しないならば、接合工程を省略できるとともに、スカート部１、ボール部２、リム部３の成形歪みを吸収することも可能となる。
【００２４】
図２（ｅ）は第４実施形態であり、図２（ｃ）の第２実施形態と相違するのは、ボール部２の上端部２ａ付近を横向きＴ字形状に形成して、このＴ字形状部２ｃの上端部２ａをリム部３の内辺部３ｂの底部３ｃの下面に当接させて接合するとともに、Ｔ字形状部２ｃの頂面部２ｇをスカート部１の内面に当接させて接合している点である。
【００２５】
図３（ｂ）に示すように、ボール部２の上端部２ａ付近を縦向きＴ字形状に形成して、このＴ字形状部２ｃの頂面部２ｇをリム部３の内辺部３ｂの底部３ｃの下面に当接させて接合するとともに、Ｔ字形状部２ｃの外縁部をスカート部１の内面に当接させて接合することもできる。
【００２６】
第４実施形態であれば、図２（ｅ）では、ボール部２の横向きＴ字形状部２ｃの頂面部２ｇをスカート部１の内面に当接させて接合することにより、図３（ｂ）では、ボール部２の縦向きＴ字形状部２ｃの頂面部２ｇをリム部３の内辺部３ｂの底部３ｃに当接させて接合することにより、それぞれ接合部分の剛性が向上するようになる。
【００２７】
図４（ａ）（ｂ）は、第５実施形態であり、図２（ｃ）の第３実施形態に対応する図４（ａ）では、ボール部２の上端部２ａ付近の外面部２ｂとスカート部１の内面とに、鋸歯状部２ｅ，１ｄをそれぞれ形成して、相互に噛み合わせている点である。図２（ｅ）の第４実施形態に対応する図４（ｂ）では、ボール部２のＴ字形状部２ｃの頂面部２ｇとスカート部１の内面とに、鋸歯状部２ｅ，１ｄをそれぞれ形成して、相互に噛み合わせている点である。
【００２８】
第５実施形態であれば、ボール部２の上端部２ａ付近の外面部２ｂ若しくはＴ字形状部２ｃの頂面部２ｇとスカート部１の内面とを鋸歯状部２ｅ，１ｄで噛み合わせることにより、ボール部２とスカート部１との位置決めがより正確に行えるようになり、位置ズレも防止することができる。
【００２９】
図５（ａ）（ｂ）は背景技術の便器、図５（ｃ）（ｄ）は第３実施形態〔図２（ｃ）参照〕の便器（第１、２、４、５の実施形態の便器も同様）であり、前述のように、着座荷重に対する強度が向上する結果、背景技術（従来）と同じ外寸法の便器であっても、図５（ｃ）（ｄ）のように、背景技術のリム部３の上辺部３ａの幅Ｗ１と比べて、本実施形態のリム部３の上辺部３ａの幅Ｗ２を狭くできるので（Ｗ１＞Ｗ２）、図５（ａ）（ｂ）のように、背景技術の便器の開口部分Ｗ３よりも本実施形態の便器の開口部分Ｗ４が広くなって（Ｗ３＜Ｗ４）、尿の飛散によるリム部３の上辺部３ａの上面の汚れが軽減するようになる。
【００３０】
各実施形態において、便器は、スカート部１とボール部２とリム部３とに少なくとも３分割された合成樹脂製の成形品であり、これらを溶着により接合して一体化した構造である。成形方法としては、射出成形、圧縮成形、真空成形等がある。成形材料としては、比較的強度があるアクリル系樹脂、補強材入りＡＢＳやＰＢＴ等を使用することができる。
【図面の簡単な説明】
【００３１】
【図１】本発明の実施形態に係る便器であり、（ａ）は断面図、（ｂ）は第１実施形態のスカート部とボール部とリム部との接合構造の断面図である。
【図２】（ａ）（ｂ）は第２実施形態のスカート部とボール部とリム部との接合構造の断面図、（ｃ）（ｄ）は第３実施形態のスカート部とボール部とリム部との接合構造の断面図（ｅ）は第４実施形態のスカート部とボール部とリム部との接合構造の断面図である。
【図３】（ａ）（ｂ）は変形例のスカート部とボール部とリム部との接合構造の断面図である。
【図４】（ａ）（ｂ）は第５実施形態のスカート部とボール部とリム部との接合構造の断面図である。
【図５】（ａ）は従来の便器の斜視図、（ｂ）は（ａ）の要部断面図、（ｃ）は本発明の実施形態に係る便器の斜視図、（ｄ）は（ｃ）の要部断面図である。
【図６】従来の便器であり、（ａ）は分解斜視図、（ｂ）は斜視図、（ｃ）は要部断面図である。
【符号の説明】
【００３２】
１    スカート部
１ａ  上端部
１ｂ  段部
１ｃ  凹部
１ｄ  鋸歯状部
２    ボール部
２ａ  上端部
２ｂ  外面部
２ｃ  Ｔ字形状部
２ｅ  鋸歯状部
２ｇ  頂面部
３    リム部
３ａ  上辺部
３ｂ  内辺部
３ｃ  底部
３ｄ  外端部
Ｗ２  幅
Ｗ４  開口部分
【図１】
0004513767.tif 000002
【図２】
0004513767.tif 000003
【図３】
0004513767.tif 000004
【図４】
0004513767.tif 000005
【図５】
0004513767.tif 000006
【図６】
0004513767.tif 000007